【手続補正書】
【提出日】平成17年5月11日(2005.5.11)
【手続補正１】
【補正対象書類名】特許請求の範囲
【補正対象項目名】全文
【補正方法】変更
【補正の内容】
【特許請求の範囲】
【請求項１】
１０モル％から４０モル％のエチレンと、ペルフルオロ（アルキルビニルエーテル）、ペルフルオロ（アルキルアルケニルエーテル）およびペルフルオロ（アルコキシアルケニルエーテル）からなる群より選択される２０モル％から４０モル％のペルフルオロエーテルと、３２モル％から６０モル％のテトラフルオロエチレンと、ｉ）３，３，３−トリフルオロプロペン−１、ｉｉ）トリフルオロエチレン、ｉｉｉ）１，２，３，３，３−ペンタフルオロプロピレン、ｉｖ）１，１，３，３，３−ペンタフルオロプロピレンおよびｖ）２，３，３，３−テトラフルオロプロペンからなる群より選択される０．１モル％から１５モル％の硬化サイトモノマーとの共重合単位を含むことを特徴とする、特殊フルオロエラストマー。
【請求項２】
Ａ）１０モル％から４０モル％のエチレンと、ペルフルオロ（アルキルビニルエーテル）、ペルフルオロ（アルキルアルケニルエーテル）およびペルフルオロ（アルコキシアルケニルエーテル）からなる群より選択される２０モル％から４０モル％のペルフルオロエーテルと、３２モル％から６０モル％のテトラフルオロエチレンと、ｉ）３，３，３−トリフルオロプロペン−１、ｉｉ）トリフルオロエチレン、ｉｉｉ）１，２，３，３，３−ペンタフルオロプロピレン、ｉｖ）１，１，３，３，３−ペンタフルオロプロピレンおよびｖ）２，３，３，３−テトラフルオロプロペンからなる群より選択される０．１モル％から１５モル％の硬化サイトモノマーとの共重合単位を含む特殊フルオロエラストマーと、
Ｂ）フルオロエラストマー１００部に対して０．１重量部から１０重量部のポリヒドロキシ硬化剤と、
Ｃ）フルオロエラストマー１００部に対して１重量部から２０重量部の酸受容体と、
Ｄ）フルオロエラストマー１００部に対して０．１部から１０部の加硫促進剤とを含むことを特徴とする、硬化性フルオロエラストマー組成物。
【請求項３】
Ａ）１０モル％から４０モル％のエチレンと、ペルフルオロ（アルキルビニルエーテル）、ペルフルオロ（アルキルアルケニルエーテル）およびペルフルオロ（アルコキシアルケニルエーテル）からなる群より選択される２０モル％から４０モル％のペルフルオロエーテルと、３２モル％から６０モル％のテトラフルオロエチレンと、ｉ）３，３，３−トリフルオロプロペン−１、ｉｉ）トリフルオロエチレン、ｉｉｉ）１，２，３，３，３−ペンタフルオロプロピレン、ｉｖ）１，１，３，３，３−ペンタフルオロプロピレンおよびｖ）２，３，３，３−テトラフルオロプロペンからなる群より選択される０．１モル％から１５モル％の硬化サイトモノマーとの共重合単位を含む特殊フルオロエラストマーと、
Ｂ）ｉ）ビスフェノールの第四級アンモニウム塩、ｉｉ）ビスフェノールの第四級ホスホニウム塩およびｉｉｉ）ビスフェノールの第三級スルホニウム塩からなる群より選択される化合物と、
Ｃ）酸受容体と、を含むことを特徴とする、硬化性フルオロエラストマー組成物。
【手続補正２】
【補正対象書類名】明細書
【補正対象項目名】００４９
【補正方法】変更
【補正の内容】
【００４９】
フルオロエラストマー、ポリヒドロキシ硬化剤、酸受容体、促進剤および他の成分のいずれも一般的に、内部混合機またはゴム製ミルによって本発明の硬化性組成物中に組み入れられる。次いで、得られる組成物を成形（例えば、型成形または押出成形）し、硬化する。典型的に、約１５０℃から２００℃で１分から６０分間、硬化を行う。適切な加熱および硬化手段を提供する従来のゴム硬化圧力、型、押出機等を使用することができる。また、最大耐熱性および寸法安定性のために、型成形または押出物品がオーブン等で、約１時間から４８時間の追加時間、典型的に約１８０℃から２７５℃で、一般的に空気雰囲気中で加熱される後硬化操作を行うことが好ましい。
以下に、本発明の好ましい態様を示す。
１．  １０モル％から４０モル％のエチレンと、ペルフルオロ（アルキルビニルエーテル）、ペルフルオロ（アルキルアルケニルエーテル）およびペルフルオロ（アルコキシアルケニルエーテル）からなる群より選択される２０モル％から４０モル％のペルフルオロエーテルと、３２モル％から６０モル％のテトラフルオロエチレンと、ｉ）３，３，３−トリフルオロプロペン−１、ｉｉ）トリフルオロエチレン、ｉｉｉ）１，２，３，３，３−ペンタフルオロプロピレン、ｉｖ）１，１，３，３，３−ペンタフルオロプロピレンおよびｖ）２，３，３，３−テトラフルオロプロペンからなる群より選択される０．１モル％から１５モル％の硬化サイトモノマーとの共重合単位を含むことを特徴とする、特殊フルオロエラストマー。
２．  前記エチレンの共重合単位が２０モル％と４０モル％との間の量で存在し、前記ペルフルオロエーテルの共重合単位が２０モル％と３０モル％との間の量で存在し、前記テトラフルオロエチレンの共重合単位が４０モル％と５０モル％との間の量で存在し、かつ前記硬化サイトモノマーの共重合単位が２モル％と１０モル％との間の量で存在することを特徴とする、１．に記載の特殊フルオロエラストマー。
３．  前記硬化サイトモノマーが３，３，３−トリフルオロプロペン−１であることを特徴とする、２．に記載の特殊フルオロエラストマー。
４．  前記ペルフルオロエーテルがペルフルオロ（メチルビニルエーテル）であることを特徴とする、２．に記載の特殊フルオロエラストマー。
５．  Ａ）１０モル％から４０モル％のエチレンと、ペルフルオロ（アルキルビニルエーテル）、ペルフルオロ（アルキルアルケニルエーテル）およびペルフルオロ（アルコキシアルケニルエーテル）からなる群より選択される２０モル％から４０モル％のペルフルオロエーテルと、３２モル％から６０モル％のテトラフルオロエチレンと、ｉ）３，３，３−トリフルオロプロペン−１、ｉｉ）トリフルオロエチレン、ｉｉｉ）１，２，３，３，３−ペンタフルオロプロピレン、ｉｖ）１，１，３，３，３−ペンタフルオロプロピレンおよびｖ）２，３，３，３−テトラフルオロプロペンからなる群より選択される０．１モル％から１５モル％の硬化サイトモノマーとの共重合単位を含む特殊フルオロエラストマーと、
Ｂ）フルオロエラストマー１００部に対して０．１重量部から１０重量部のポリヒドロキシ硬化剤と、
Ｃ）フルオロエラストマー１００部に対して１重量部から２０重量部の酸受容体と、
Ｄ）フルオロエラストマー１００部に対して０．１部から１０部の加硫促進剤とを含むことを特徴とする、硬化性フルオロエラストマー組成物。
６．  前記特殊フルオロエラストマーが、２０モル％と４０モル％との間の量で存在するエチレンの共重合単位と、２０モル％と３０モル％との間の量の前記ペルフルオロエーテルの共重合単位と、４０モル％と５０モル％との間の量の前記テトラフルオロエチレンの共重合単位と、２モル％と１０モル％との間の量の前記硬化サイトモノマーの共重合単位とを含むことを特徴とする、５．に記載の硬化性フルオロエラストマー組成物。
７．  前記硬化サイトモノマーが３，３，３−トリフルオロプロペン−１であることを特徴とする、６．に記載の硬化性フルオロエラストマー組成物。
８．  前記特殊フルオロエラストマー中の前記ペルフルオロエーテルがペルフルオロ（メチルビニルエーテル）であることを特徴とする、５．に記載の硬化性フルオロエラストマー組成物。
９．  Ｅ）フルオロエラストマー１００部に対して０．２重量部から７重量部の有機ペルオキシドと、Ｆ）フルオロエラストマー１００部に対して０．１重量部から１０重量部の多官能性助剤とをさらに含むことを特徴とする、５．に記載の硬化性フルオロエラストマー組成物。
１０．  前記ポリヒドロキシ硬化剤Ｂが、
ｉ）ジヒドロキシ−、トリヒドロキシ−およびテトラヒドロキシ−ベンゼン、−ナフタレン、および−アントラセン、
ｉｉ）次式
【化１】
2004526048.tif 000001
（式中、Ａは安定な二価基であり、ｘは０または１であり、かつｎは１または２である）で表されるビスフェノール、
ｉｉｉ）前記ビスフェノールのジアルカリ塩、
ｉｖ）前記ビスフェノールの第四級アンモニウムおよびホスホニウム塩、ｖ）前記ビスフェノールの第三級スルホニウム塩ならびに
ｖｉ）フェノールのエステルからなる群より選択される硬化剤であることを特徴とする、５．に記載の硬化性フルオロエラストマー組成物。
１１．  前記加硫促進剤Ｄが、第四級アンモニウム塩、第三級スルホニウム塩および第四級ホスホニウム塩からなる群より選択されることを特徴とする、５．に記載の硬化性フルオロエラストマー組成物。
１２．  前記硬化促進剤Ｄが、ｉ）前記ポリヒドロキシ架橋剤（Ｂ）の第四級アンモニウム塩、ｉｉ）前記ポリヒドロキシ架橋剤（Ｂ）の第四級ホスホニウム塩およびｉｉｉ）前記ポリヒドロキシ架橋剤の第三級スルホニウム塩からなる群より選択されることを特徴とする、１１．に記載の硬化性フルオロエラストマー組成物。
１３．  Ａ）１０モル％から４０モル％のエチレンと、ペルフルオロ（アルキルビニルエーテル）、ペルフルオロ（アルキルアルケニルエーテル）およびペルフルオロ（アルコキシアルケニルエーテル）からなる群より選択される２０モル％から４０モル％のペルフルオロエーテルと、３２モル％から６０モル％のテトラフルオロエチレンと、ｉ）３，３，３−トリフルオロプロペン−１、ｉｉ）トリフルオロエチレン、ｉｉｉ）１，２，３，３，３−ペンタフルオロプロピレン、ｉｖ）１，１，３，３，３−ペンタフルオロプロピレンおよびｖ）２，３，３，３−テトラフルオロプロペンからなる群より選択される０．１モル％から１５モル％の硬化サイトモノマーとの共重合単位を含む特殊フルオロエラストマーと、
Ｂ）ｉ）ビスフェノールの第四級アンモニウム塩、ｉｉ）ビスフェノールの第四級ホスホニウム塩およびｉｉｉ）ビスフェノールの第三級スルホニウム塩からなる群より選択される化合物と、
Ｃ）酸受容体と、を含むことを特徴とする、硬化性フルオロエラストマー組成物。
１４．  Ｅ）フルオロエラストマー１００部に対して０．２重量部から７重量部の有機ペルオキシドと、Ｆ）フルオロエラストマー１００部に対して０．１重量部から１０重量部の多官能性助剤とをさらに含むことを特徴とする、１３．に記載の硬化性フルオロエラストマー組成物。
１５．  前記ビスフェノールの第四級アンモニウム塩が、モル比１：１の第四級アンモニウム化合物とビスフェノールＡＦとの塩であることを特徴とする、１３．に記載の硬化性フルオロエラストマー組成物。
１６．  前記ビスフェノールＡＦの第四級アンモニウム塩が、ａ）テトラプロピルアンモニウム／ビスフェノールＡＦ塩、ｂ）メチルトリブチルアンモニウム／ビスフェノールＡＦ塩およびｃ）テトラブチルアンモニウム／ビスフェノールＡＦ塩からなる群より選択されることを特徴とする、１５．に記載の硬化性フルオロエラストマー組成物。